(57)【要約】【課題】金利情報、スクロール情報等は従来循環表示されており、表示内容を更新する際は両者同時に更新されるため、スクロール情報は中断されユーザに違和感を与えていた。また、情報更新の際に行うブリンクは制御部でタイマ制御を行っていたため、制御部・表示部間でデータのやり取りが煩雑であった。このデータの授受を簡素化し、スクロール表示も中断することのない表示装置の開発が課題となっていた。【解決手段】制御部１で、電文インターフェースに行および文字のブリンク付与の有無と、付与の場合はそれぞれの回数、各行、各文字のアトリビュート等表示条件を付加する。この制御情報を付加された電文インターフェースを一度だけ制御部から表示部２に送出し、その後、表示状況の制御は表示部内で全て行う装置とした。【選択図】図１
2004101869.tif 000002
【特許請求の範囲】
【請求項１】
センタから配信される金利情報、スクロール情報を定期的に、一定のルールに従って循環表示する制御部および表示部を有する情報表示装置において、
制御部には、金利情報およびスクロール情報のそれぞれの電文インターフェースに情報内容の更新後に行うブリンク制御情報を別個に付加する手段と、前記各電文インターフェースを表示部に送出する手段とを有し、
上記表示部には上記電文インターフェースに付加された上記ブリンク情報の内容に従って表示状態を制御する表示手段を
有することを特徴とする情報表示システムのブリンク制御装置。
【発明の詳細な説明】
【０００１】
【本発明の属する技術分野】
本発明は、情報発信元より最新の金利情報、スクロール情報を受信し、サイクリックに循環表示する表示装置に関する。
【０００２】
【従来の技術】
従来の経済市況情報表示装置では、図４に示す様に、金利情報とこれに関連する情報を電光ニュース式に流しながら表示するスクロール情報とを同一画面上に同時的に一定のルールに従って循環表示していた。しかし、従来のこの表示方法においては金利情報（行番号１乃至１１）とスクロール情報（行番号１２）とが同期的に動作し、ユーザ金利情報の表示とスクロール情報表示とが同時に表示切替えされていた。この結果、金利情報が切り替えられると同時にスクロール情報も表示途中で情報が途切れて切り替えられることになり、スクロール情報を利用中のユーザから見れば、表示情報が途中で新しい情報に切り替えられるため違和感を与えていた。
【０００３】
また、図５に示す様に、従来の表示装置においては行単位或いは文字単位で点滅表示（ブリンク）させる場合、制御部１でタイマー制御によるトリガを発生させ、トリガ毎に表示部２に電文を発行する方法が採られていた。このためブリンクの回数が増加すると、上記電文の発行回数が増加することになり、これが性能面でのボトルネックとなっていた。
【０００４】
【発明が解決しようとする課題】
本発明の目的は、上記問題点を解決し、金利情報とスクロール情報とを独立に動作させることが出来、それに伴うブリンク等各種制御情報を一元的に処理出来る様にルール化した情報表示装置のブリンク制御装置を提供することにある。
【０００５】
【課題を解決するための手段】
上記目的を達成するために本発明においては、センタから配信される金利情報、スクロール情報を定期的に、一定のルールに従って循環表示する制御部および表示部を有する情報表示装置において、制御部には、金利情報およびスクロール情報のそれぞれの電文インターフェースに情報内容の更新後に行うブリンク制御情報を別個に付加する手段と、前記各電文インターフェースを表示部に送出する手段とを有し、上記表示部には上記電文インターフェースに付加された上記ブリンク情報の内容に従って表示状態を制御する表示手段を有する情報システムのブリンク制御装置について規定した。
【０００６】
【発明の実施の形態】
以下、本発明の実施の形態を図により説明する。
図１は、本発明における動作の手順を示す系統図である。従来の方法では制御部１からタイマ制御によるトリガ信号で表示のコマンド指示を表示部２に送る方法が行われたいた。また、この方法では金利情報を一定時間表示した後、次の情報に切り替えを行う際、ページ全体が更新されたことをユーザに視覚的に認識できるように行単位で指定された回数分ブリンクすることが従来行われてきた。以後、これを行ブリンクと呼ぶ。この行ブリンクの他に文字単位で指定された回数分ブリンクする方法を採られることがある。以後、これを文字ブリンクと呼ぶ。この２種類のブリンクについて、例えば、指定回数のブリンクによる表示切り替えに際して、指定回数の行ブリンンクの後、指定があれば文字単位の文字ブリンクを実行することも可能である。従来は、上記のような行ブリンク、文字ブリンクを実行する場合、制御部１側がタイマ起動で監視する方式が採られていた。
【０００７】
これに対し、本発明においては、図２に示す様に、電文インターフェースに行ブリンクおよび文字ブリンクの表示状態を指定する情報を付加した後、表示部２に送り、以後、表示動作の制御を表示部２側に委託する方式とした。すなわち、制御部１から表示部２への表示制御信号の伝送は１度のみで、表示部２では、表示状態として送られて来た情報種別、電文種別、チャイム鳴動のみならず、行ブリンク、文字ブリンクの別、ブリンクの有無、およびブリンクの回数、行リバースの有無、その他各行、各文のアトリビュート等の表示制御情報により、それ以後の処理は全て表示部２で実行可能とする方法としている。これにより、固定表示である金融情報表示と、移動表示であるスクロール情報表示とを一つの電文インターフェースで送るのみで、両者の表示を制御することが可能となる。
【０００８】
図３は本発明におけるブリンク制御の表示部における処理手順を示すもので、図中、丸付きの数字は図２における丸付き数字の欄に書きこむ内容に対応している。図３において、送られて来た電文インターフェースから、先ず行ブリンク実行指定の有無を判別する（ステップ３０１）。行ブリンクありの場合は、ステップ３０２に移り、文字のブリンク回数をチェックする。ここで、例えば行ブリンクを２回実行するものとすれば文字の全ブリンク回数が２回以上行うか否かで以後の処理が異なってくる（ステップ３０２）。すなわち、文字ブリンクが２回以上でｎ回の場合は、図２の表において▲１▼欄には「文字ブリンクする」が記入されているからこれを識別し（ステップ３０３）、次にブリンク回数として図２の表において▲３▼欄に記入されている数字ｎから２を差し引いた数（ｎ−２）をセットする（ステップ３０４）。これにより文字ブリンクを実行し、最後に行ブリンクを２回行う（ステップ３０５）。
【０００９】
次に、行ブリンクは実行するが文字ブリンクは実行しない場合は、全ブリンク回数ｎは２よりも大きくならないから（ｎ≦２）ステップ３０２からステップ３０６に移行し、次いでステップ３０７に移行して文字ブリンク無し（図２▲３▼は結局０となる。）で、ステップ３０４の行ブリンクの実行に移行する。
【００１０】
また、行ブリンクを実行しない場合は、ステップ３０１からステップ３０８に移行し、文字の全ステップ回数を確認する。文字の全ステップ回数が０の場合は「文字ブリンクしない」で図２の▲２▼欄は０であり（ステップ３０９およびステップ３１０）、▲４▼欄に従い「行ブリンクしない」（ステップ３１１）となる。
【００１１】
文字の全ブリンク数が０でない場合は、ステップ３０８からステップ３１２に移行し、この流れでは行ブリンクは実行しないため図２の▲３▼欄の数字をそのままの回数だけ文字ブリンクを行い（ステップ３１３）、行ブリンクを実行することなく処理を終了する。
【００１２】
【発明の効果】
本装置によりスクロール情報を中断することなく金利情報と同期的に表示切り換えを行なうことが出来るようになった。また、同時に、表示切り換え時に実施する行ブリンク、文字ブリンクを表示内容に合わせることが出来、ユーザに違和感なく表示を行なうことが出来るようになった。
【図面の簡単な説明】
【図１】本発明の基本概念を説明するフロー図。
【図２】制御部から表示部に送出する電文インターフェースの内容を示す表示図。
【図３】本発明における処理の手順を示すフロー図。
【図４】従来装置における金利情報およびスクロール情報の表示図。
【図５】従来装置の動作を説明するフロー図。
【符号の説明】
１：制御部　　　　　　　　　　　　　　　２：表示部
【図１】
2004101869.tif 000003
【図２】
2004101869.tif 000004
【図３】
2004101869.tif 000005
【図４】
2004101869.tif 000006
【図５】
2004101869.tif 000007